(57)【特許請求の範囲】
【請求項１】
データ通信可能なコンピュータネットワークに接続されるとともに、商品代金或いはサービス料金を精算可能なカード型記録媒体を使用可能とされた精算端末にデータ通信可能に接続されたサーバコンピュータを用いて、前記コンピュータネットワークに接続された広告依頼者のコンピュータ端末から前記サーバコンピュータにアクセスする広告依頼者に対して、前記カード型記録媒体の所持者を対象とした広告サービスを提供する広告サービスの提供方法であって、
前記サーバコンピュータにおいて実施される、
広告依頼者から前記カード型記録媒体の表示部に記録する広告内容を受け付ける広告受け付けステップと、
前記広告依頼者のコンピュータ端末に対して、広告仕様選定ページを配信することにより、前記カード型記録媒体の所持者が購入した商品が、指定した関連商品に合致した場合に広告が実施される関連商品と、広告が実施される所持者の個人情報に関する項目とを指定させ、これを受け付けるステップと、
精算時において、前記精算端末に前記カード型記録媒体が挿入された時、前記精算端末から送られる、前記カード型記録媒体の番号データと、購入商品の種別（品名）と、価格データ並びに店舗の識別データと、を受け付けるステップと、
精算端末側での精算を受けて、広告選出プログラムを利用して、購入商品の種別（品名）から特定される前記カード型記録媒体の所持者が購入した商品に合致した関連商品の広告が存在するか、前記番号データから特定される該所持者の個人情報に合致する広告が存在するかを検索する検索ステップと、
該検索ステップにおいて合致する広告が１つのみ存在する場合に当該合致する広告の広告データを選定する第１の選定ステップと、
前記検索ステップにおいて合致する広告が複数である場合に、当該複数の広告の内、合致する前記広告仕様選定ページにて受け付けた項目が多い広告データを選定する第２の選定ステップと、
前記第１又は第２の選定ステップにより選定された広告データを前記精算端末に配信プログラムにより配信する配信ステップと、
前記精算端末において実施される、
その表面に書き換え記録可能な表示部を備えている前記カード型記録媒体を受け付けて、該表示部への書き換え記録が可能とされており、前記選定されて配信されてきた広告データを前記カード型記録媒体の前記表示部に印刷した後、前記所持者に前記カード型記録媒体を返却するステップと、
を少なくとも含むことを特徴とする広告サービスの提供方法。
【発明の詳細な説明】
【技術分野】
【０００１】
本発明は、広告を行いたい広告希望者が、クレジットカードやプリペイドカード等のカード型記録媒体の所持者に対して、容易に且つ迅速に広告を実施することのできる広告サービスの提供方法に関する。
【背景技術】
【０００２】
従来、広告提供者が広告を行う手法としては、雑誌や新聞等の刊行物を用いる手法やテレビやラジオ等の放送媒体を用いる手法が主流であった。
【０００３】
これら従来の広告、特に刊行物を用いる場合には、広告媒体としての印刷物を印刷して配布する必要があり、広告を迅速かつ安価にて実施できないという問題があった。
【０００４】
一方、前記クレジットカードやプリペイドカード等のカード型記録媒体の発行者側にあっても、これら精算サービスを提供するに当たって、ユーザーである会員（メンバー）に年会費等の負担を請求しにくい環境となってきていて、利益を確保することが難しくなってきており、これら会員（メンバー）への負担に依らず利益を確保することができる手法が切望されてきている。
【０００５】
よって、本発明は前記した問題点に着目してなされたもので、広告希望者にあっては、広告を迅速かつ安価にて実施できるとともに、カード型記録媒体の発行者側にあっては、顧客である会員（メンバー）に年会費等の負担に頼ることなく、利益を確保することができる手法を提供することのできる広告サービスの提供方法を提供することを目的としている。
【発明の開示】
【０００６】
前記した課題を解決するために、本発明の広告サービスの提供方法は、
データ通信可能なコンピュータネットワークに接続されるとともに、商品代金或いはサービス料金を精算可能なカード型記録媒体を使用可能とされた精算端末にデータ通信可能に接続されたサーバコンピュータを用いて、前記コンピュータネットワークに接続された広告依頼者のコンピュータ端末から前記サーバコンピュータにアクセスする広告依頼者に対して、前記カード型記録媒体の所持者を対象とした広告サービスを提供する広告サービスの提供方法であって、
前記サーバコンピュータにおいて実施される、
広告依頼者から前記カード型記録媒体の表示部に記録する広告内容を受け付ける広告受け付けステップと、
前記広告依頼者のコンピュータ端末に対して、広告仕様選定ページを配信することにより、前記カード型記録媒体の所持者が購入した商品が、指定した関連商品に合致した場合に広告が実施される関連商品と、広告が実施される所持者の個人情報に関する項目とを指定させ、これを受け付けるステップと、
精算時において、前記精算端末に前記カード型記録媒体が挿入された時、前記精算端末から送られる、前記カード型記録媒体の番号データと、購入商品の種別（品名）と、価格データ並びに店舗の識別データと、を受け付けるステップと、
精算端末側での精算を受けて、広告選出プログラムを利用して、購入商品の種別（品名）から特定される前記カード型記録媒体の所持者が購入した商品に合致した関連商品の広告が存在するか、前記番号データから特定される該所持者の個人情報に合致する広告が存在するかを検索する検索ステップと、
該検索ステップにおいて合致する広告が１つのみ存在する場合に当該合致する広告の広告データを選定する第１の選定ステップと、
前記検索ステップにおいて合致する広告が複数である場合に、当該複数の広告の内、合致する前記広告仕様選定ページにて受け付けた項目が多い広告データを選定する第２の選定ステップと、
前記第１又は第２の選定ステップにより選定された広告データを前記精算端末に配信プログラムにより配信する配信ステップと、
前記精算端末において実施される、
その表面に書き換え記録可能な表示部を備えている前記カード型記録媒体を受け付けて、該表示部への書き換え記録が可能とされており、前記選定されて配信されてきた広告データを前記カード型記録媒体の前記表示部に印刷した後、前記所持者に前記カード型記録媒体を返却するステップと、
を少なくとも含むことを特徴としている。
【発明を実施するための最良の形態】
【００１３】
以下、本発明の実施例を図面に基づいて説明する。
【００１４】
（実施例）
図１は、本発明の広告サービスの提供方法が適用されたサーバコンピュータである配信サーバを有する本実施例の広告配信システムの構成を示すブロック図であり、図２は、本実施例の広告配信システムに用いた精算端末であるＰＯＳ端末を示す外観斜視図であり、図３は、本実施例の広告配信システムに用いたカード型記録媒体であるＩＣクレジットカードを示す一部破断上面図であり、図４は、本実施例に用いた前記ＰＯＳ端末の構成を示すブロック図であり、図５は、本実施例において用いたサーバコンピュータである配信サーバの構成を示すブロック図であり、図６は、本実施例において用いた前記ＩＣクレジットカードの表示部における広告の書き換え状況を示す図であり、図７は、前記配信サーバにおける処理内容を示す図である。
【００１５】
本実施例の広告配信システムは、図１に示すように、本実施例の前記ＩＣクレジットカードが使用される各店舗ａ，ｂ，ｃ，…に設置されている精算端末としてのＰＯＳ端末４と、これら各ＰＯＳ端末４に専用線にて接続された該ＰＯＳ端末４の精算状況を集中管理する管理サーバ１００並びに通信装置２を介して接続され、配信センターに設けられた配信サーバ１と、該配信サーバ１に前記通信装置２並びにインターネット網を通じて接続された各広告依頼者のコンピュータ端末３と、から主に構成されている。
【００１６】
まず、本実施例に用いたカード型記録媒体であるＩＣクレジットカード４０を、図３に基づき説明すると、所定厚みとされ、その内部が凹状とされた樹脂製の基体４１の該凹部外周所定位置に、テープオートボンディング（ＴＡＢ）実装によりその内部に不揮発性メモリ（図示せず）を内蔵したＩＣチップ４２が実装されるとともに、該ＩＣチップ４２から該基体４１の外周に沿うように設けられたパターンコイル４３を有するフレキシブルプリント基板４４が内挿され、該凹部全面がトップフィルム４５にて覆われた構成とされており、これらＩＣクレジットカード４０は、後述するＰＯＳ端末４のカード処理部５に設けられているカードユニット１４に挿入されることで、該カードユニット１４から出力される電磁波が前記パターンコイル４３に誘導起電力を生じさせて前記ＩＣチップ４２が動作可能に付勢されるとともに、該パターンコイル４３を介して前記カードユニット１４との各種のデータ通信を電磁波により非接触にて実施可能とされた非接触ＩＣカードとされている。
【００１７】
また、これらＩＣクレジットカード４０のＩＣチップ４２の前記不揮発性メモリには、各ＩＣクレジットカード４０に個別に付与されたカード番号が予め書き換え不可に記録されているとともに、前記トップフィルム４５には、広告表示の書き換え記録が可能な表示部４６が前記パターンコイル４３を避けるようにカード中央部に位置するように設けられている。
【００１８】
この表示部４６の構成は、前記トップフィルム４５の表面にアルミ蒸着層が形成され、その上面に所定の加熱により光の透過性が変化するサーモクロミックフィルム層が設けられた構成とされており、このサーモクロミックフィルム層は、所定温度である約１２０℃程度に加熱された部分が、図６の（ａ）に示されるように、その内部に間隙が形成されて透過する光が乱反射されて白くなり、その他の加熱されない部分とコントラストが形成されて画像形成がなされ、これら形成画像を消去して書き換えを実施する場合には、形成画像の前面を約９０℃程度の温度に加熱することにより、図６の（ｂ）に示されるように、前記画像形成された部分の間隙が元に復元されてコントラストが消失し、図６の（ｃ）のように、再度の広告印刷ができるようになっていて、これらの加熱処理を実施可能なサーマルヘッドが、このＩＣクレジットカード４０を受け付け可能とされた後述するカードユニット１４内部に設けられている。
【００１９】
次いで、このＩＣクレジットカード４０が使用される、本実施例にて用いた精算端末としてのＰＯＳ端末４について説明すると、本実施例に用いたＰＯＳ端末４は、図２に示すように、レジ機能を有するＰＯＳレジ本体部１５と前記ＩＣクレジットカード４０を受け付け可能とされたカード処理部５とから主に構成されている。
【００２０】
このＰＯＳレジ本体部１５の上面には、精算金額等を入力するための入力部２０とともに、該入力部を補足して商品精算に伴う操作を簡素化するためのタッチパネル３２とが設けられているとともに、最終的な精算金額等が表示される表示パネル２４と、精算内容が記録されたレシート３１が印刷されるプリンタ部２６とが設けられていて、その下部位置は、現金を保管するための金庫２８とされている。
【００２１】
このＰＯＳレジ本体部１５に接続ケーブル１７にて接続された前記カード処理部５の前面側には、前記ＩＣクレジットカード４０の挿入口８が設けられているとともに、その上面には、利用明細が印刷されて排出される明細書排出口７と、処理状況等の内容がメッセージ表示される液晶表示部６とが設けられている。
【００２２】
この本実施例に用いた前記カード処理部５の構成は、図４に示すようになっており、その内部には、前記ＰＯＳレジ本体部１５とのデータ通信を行うための通信部１２と、前記液晶表示部６の表示制御を行う表示ドライバ１０と、前記明細書排出口７に連設されて明細書用紙への印刷を行うプリンタユニット９並びに該プリンタユニット９の印字制御を行うプリンタドライバ１１と、前記挿入口８に連設されて挿入されたＩＣクレジットカード４０を電磁波にて付勢するとともに、該ＩＣクレジットカード４０に記録されている記録情報の非接触による読み出し並びに新たなデータの書き込みが可能とされ、且つ挿入されたＩＣクレジットカード４０の表面に設けられている書き換え可能な表示部４６への印字／消去が可能なカードユニット１４と、広告を識別可能な広告ＩＤが付与されて前記配信サーバから配信されてきた広告データを記憶するとともに後述する制御マイコンが実施する制御プログラム等が記憶されている記憶部としての不揮発性メモリ３０と、これら各部に接続されて、その動作制御を行う制御マイコン（ＭＰＵ）１３と、を内在しており、前記カードユニット１４に受け付けたＩＣクレジットカード４０からカード番号等の照合情報を読み出して前記ＰＯＳレジ本体部１５に出力するとともに、前記配信サーバより送られてきた照合結果に付随する広告ＩＤに該当する広告の印刷を実施してＩＣクレジットカード４０を排出するとともに、その利用明細書を印刷して発行するようになっている。
【００２３】
また、該カード処理部５が接続されている前記ＰＯＳレジ本体部１５の構成は、図４に示すようになっており、前記タッチパネル３２を構成する液晶パネル２２並びに液晶ドライバ２１や位置検出パネル３４並びに位置検出ドライバ２３や、前記レシート３１を印刷するプリンタ部２６並びに該プリンタ部２６の印字制御を行うプリンタドライバ２５や、前記表示パネル２４並びに該表示パネルの表示制御を行う表示ドライバ２７や、各種キー群から成る前記入力部２０や前記金庫２８や、前記接続ケーブル１７を通じてカード処理部５とのデータ通信を実施する第１の通信部２９や、専用線１６を通じて前記管理サーバ１００並びに配信サーバ１とのデータ通信を行う第２の通信部１９や、これら各部に接続されてその動作制御を実施する制御マイコン（ＭＰＵ）１８とが図４に示すように接続されて、通常の現金による精算が可能とされているとともに、前記ＩＣクレジットカード４０を前記カード処理部５に挿入することで、該カード処理部５にて読み出されたカード番号等の照合情報とともに、購入商品の品種（品名）と金額情報とを前記専用線１６並びに管理サーバ１００を通じて配信サーバ１に送信し、該配信サーバ１より照合結果が返信されて精算が許諾されることで前記ＩＣクレジットカード４０による精算も可能とされている。
【００２４】
次いで、本実施例の前記配信センターに設置されている配信サーバ１は、図５に示すような構成とされ、配信サーバ１の内部にてデ−タの送受を行うデ−タバス５０に、前記広告依頼者のコンピュータ端末３からの広告の受け付け処理や、広告の作成処理、広告回数の集計処理、並びに各ＰＯＳ端末４からの照合情報の照合・精算処理や広告データ並びに広告識別情報（広告ＩＤ）を配信する配信処理等の各種処理を該当する処理プログラムに基づいて実施する中央演算処理装置（ＣＰＵ）５１や、該ＣＰＵ５１のワークメモリ等に仕様されるＲＡＭ５２や、現在の時刻情報や任意年月日の曜日等のカレンダ−情報を出力可能なリアルタイムクロック（ＲＴＣ）５７や、キーボード等の入力装置５６並びにディスプレイ等の表示装置５４と、前記通信装置２に接続されて専用線並びに前記管理サーバ１００を通じて各ＰＯＳ端末４とともに、インターネット網を経由してアクセスしたきた広告依頼者のコンピュータ端末３との双方向のデータ通信を実施する通信インターフェイス５３と、磁気ディスクや光磁気ディスクから成り、前記中央演算処理装置（ＣＰＵ）５１が実施する、各種処理プログラムや、図９に示すように、作成或いは前記広告依頼者のコンピュータ端末３よりアップロードされた広告データや該広告データを識別するための広告識別情報（広告ＩＤ）や広告の期限や対象地域の広告の仕様内容とが対応付けて登録された広告データベース（ＤＢ）や、広告依頼者であるサイト利用者の個人情報並びにユーザＩＤやパスワード等が登録されている広告者ＤＢや、図８に示すように、前記ＩＣクレジットカード４０の所持者である顧客（会員）に関する個人情報と該ＩＣクレジットカード４０のカード番号等の各情報とが対応付けて登録された顧客データベース（ＤＢ）等が記憶されている記憶装置５５と、が接続された比較的処理能力に優れた通常のコンピュ−タとされている。
【００２５】
以下、該配信サーバ１にて広告が広告依頼者より受け付けられ、該受け付けられた広告データに基づく広告が、前記ＩＣクレジットカード４０の表示部４６に実施される流れについて、図７の処理全体を示すフロー図と各表示ページを参照して説明する。
【００２６】
まず、広告依頼者が広告を依頼したい場合には、本実施例では不適切な広告が実施されることを回避するために、予め広告者登録を実施した広告依頼者のみが新規の広告依頼を実施できるようにしており、これら広告者登録に際しては広告依頼者が不適切な広告を実施しない企業或いは個人であるかを事前審査するようになっている。
【００２７】
まず、本実施例の配信サーバ１に前記インターネット網を通じてアクセス利用者がアクセスしてきた場合には、図１０に示すメインメニューページが表示され、予め広告者登録した広告依頼者のみが、各登録済み広告者に発行されているＩＤとパスワードを入力することで、該入力されたＩＤとパスワードとが前記広告者ＤＢに登録されているＩＤとパスワードに一致するかが比較されて、該比較が一致した場合に配信サーバ１内にログインできるようになっている。
【００２８】
また、前記広告者登録していないアクセス者であって、新たに会員登録を実施したいアクセス利用者は「新規広告者登録申込み」を選択入力して、広告者登録ページに移り、該広告者登録ページにて法人或いは個人の名称や氏名並びに住所や電子メール等の個人情報とともに、希望するＩＤとパスワードを入力して広告者登録を行う。
【００２９】
該広告者登録にて入力された広告者登録情報は、ＩＤとパスワードが既に登録されている他の広告者のものと重複しないか否かとともに、新規申し込み者が不適切な法人または利用者ではないかが所定の審査基準において審査され、該審査基準を満たしていればＩＤとパスワードが新規広告者に対して電子メールより発行される。
【００３０】
前記ＩＤとパスワードの入力によりログインした登録広告者は、図１１に示すメニュー選択ページにおいて所望するメニューを選択する。このメニュー選択ページには、既に依頼済みの広告の内容並びに仕様内容を確認することのできる「広告仕様確認」の項目と、依頼済みの広告が実施された回数を確認することのできる「広告状況確認」の項目と、新規の広告の作成や、その広告の仕様を決定することのできる「新規広告依頼」の項目と、が設けられている。
【００３１】
まず、登録広告者が過去に広告の依頼をしていて、その依頼内容を確認したい場合には、前記「広告仕様確認」の項目を選択入力する。  
【００３２】
該入力により図１２に示す広告仕様確認ページ（１）が表示され、実際にＩＣクレジットカード４０の表示部４６に表示される広告内容を確認したい場合には、「広告表示内容」の項目を選択入力することで、表示内容が前記表示部４６に表示された状態として表示された広告仕様確認ページ（２）（図示せず）に表示され、この広告仕様確認ページ（２）に設けられている「編集」の項目を選択することで、エディタが起動されて広告内容のレイアウトや変更等の編集ができるようになっている。
【００３３】
また、登録広告者が依頼済み広告の仕様を確認したい場合には、前記広告仕様確認ページ（１）において、「広告仕様内容」の項目を選択入力することで、図１３に示すように、依頼している広告の数と、その広告期間、並びに広告の対象地域や広告対象とするＩＣクレジットカード４０の所持者である顧客の性別や年齢、年収、職種、勤務地の指定内容が表示されるようになっており、これらの仕様内容を変更したい場合には該ページに設けられている「変更」を選択することで、仕様内容を各項目毎に変更できるようになっている。
【００３４】
また、依頼済みの広告がある、登録広告者が依頼した広告の広告回数を確認したい場合には、前記メニュー選択ページにおいて「広告状況確認」の項目を選択入力することで、前記広告データベースに登録されている広告回数データが図１６に示すように表示されて、登録広告者は週単位の広告回数を確認できるとともに、前日の広告回数を確認できるようになっている。
【００３５】
これら本実施例のように、登録広告者が依頼した広告の広告回数を逐次確認できるようにすることは、登録広告者が広告の状況を簡便に把握できるとともに、広告の状況に応じては広告の仕様を変更するための重要な指針ともなることから好ましいが、本発明はこれに限定されるものではない。
【００３６】
また、登録広告者が新規の広告を依頼したい場合には、前記メニュー選択ページにおいて「新規広告依頼」の項目を選択入力することで、図１４に示す広告作成ページ（１）が表示され、広告データの登録方法を選択するようになっている。
【００３７】
これら新規の広告データを事前に作成している場合には、「アップロード」を選択し、事前に作成しておらず、新規に作成する場合においては「新規作成」の項目をチェックして決定を入力する。
【００３８】
前記にて「アップロード」を選択した場合には、送信する事前作成した広告データのファイルを指定する画面に自動的に切り替わり、ファイルを指定することで、その広告データが添付されたメールが配信サーバ１に送信される。
【００３９】
また、前記にて「新規作成」の項目を選択した場合には、広告作成プログラム（エディタ）が起動されて画像の貼り込みやテキストの打ち込み等のレイアウト作成を実施して前記表示部４６に印刷される広告内容を作成できるようになっている。
【００４０】
これら広告内容の「アップロード」或いは作成が完了した後、図１５に示す広告仕様選定ページが表示され、該広告仕様選定ページにおいて、広告の各仕様、本実施例では、期間、対象地域、性別、年齢、年収、職種、勤務地の項目が選択できるとともに、該ページに設けられた商品指定を選択入力すると、購入した商品が指定した内容に合致した場合に広告が実施される商品を指定することができるようになっている。
【００４１】
これら商品の指定方法としては、広告する商品に関連性が高いもの、具体的にはカメラを購入した人にはフィルムの広告を実施することが広告効果が高いように、フィルムの広告であれば商品として「カメラ」を指定することで、高い広告効果を得られるようにしており、例えばノートパソコン対応のデジタルカメラの広告を実施する場合において、前記商品の指定としてノートパソコンを指定したならば、図６に示すように、前回の買い物における精算時にパソコンの広告がなされていて、これらの広告で該カードの所持者が新たにノートパソコンを購入した場合には、その精算時において図６（ｃ）に示すように、デジタルカメラの広告が前記表示部４６に実施されるようになっている。
【００４２】
このように、広告を実施する対象者を、その対象者が購入した商品に基づいて決定することは、広告効果をより高いものとすることができることから好ましい。
【００４３】
これら選定された広告仕様の内容と、「アップロード」或いは新規作成された広告データは、広告を識別可能とするための広告ＩＤが個々に付与されて前記広告データベース（ＤＢ）に登録されるとともに、所定期間毎に新規のこれら広告データと広告ＩＤとが配信プログラムにより前記各ＰＯＳ端末４に定期的に配信され、該配信された広告ＩＤと広告データとが前記カード処理部５の不揮発性メモリ３０に記憶されるようになっている。
【００４４】
以下、本実施例の広告配信システムにおいて、前記ＩＣクレジットカード４０に広告が実施される流れについて説明すると、ＩＣクレジットカード４０の所持者が精算のために商品とカードを前記ＰＯＳ端末４に持参すると、購入商品が前記タッチパネルにて指定されてその商品名と金額が前記表示パネル２４に表示される。
【００４５】
精算のために店員によりＩＣクレジットカード４０が前記挿入口８より挿入されると、該挿入されたＩＣクレジットカード４０のカード番号が読み取られてカード処理部５よりＰＯＳレジ本体部１５にカード番号データが出力され、該カード番号データが購入商品の種別（品名）と価格データ並びに店舗の識別データとともに前記管理サーバ１００を介して配信サーバ１に送信される。
【００４６】
配信サーバ１においては、照合情報であるカード番号が顧客ＤＢに登録されている正規なものであるかを照合するとともに、カードの有効期限が切れていないか、或いは購入金額が利用限度額を越えていないかが、照合・精算プログラムにより実施されるとともに、広告選出プログラムにより該購入された商品（サービス）に該当する広告があるか、または購入した顧客の個人情報に合致する広告が存在するかが検索され、複数存在する場合には合致する項目が多い広告の広告ＩＤが選定されてデータ配信プログラムに送られるとともに、前記広告データベースにおける該広告の回数データが更新される。この更新された回数データにより広告回数が集計プログラムにて集計されて前記広告状況確認ページに表示されるようになっている。
【００４７】
また、この選定された広告の広告ＩＤは、前記照合情報に基づく照合結果（精算許諾か否か）とともに該広告ＩＤがデータ配信プログラムによりＰＯＳ端末４に返信される。
【００４８】
返信されてきた広告ＩＤは、前記カード処理部５に出力されて、該広告ＩＤに該当する広告データが前記不揮発性メモリ３０より読み出されて前記表示部４６へカードユニット１４にて印刷された後、該ＩＣクレジットカード４０が返却される。
【００４９】
これら本実施例のように、各広告データを予め各ＰＯＳ端末４に配信して前記不揮発性メモリ３０に登録しておき、実際の広告に際しては、前述のように広告ＩＤのみを返信するようにすることは、比較的データ容量の大きな広告データを逐次配信する必要がなく、迅速な広告の印刷ができるようになることから好ましいが、本発明はこれに限定されるものではなく、通信容量等が十分であれば、その都度広告データを配信するようにしても良い。
【００５０】
以上、本実施例のようにすれば、広告依頼者は、広告の印刷物等を制作したり配布する必要がなく、簡便かつ迅速に広告を実施できるようになるばかりか、カードの運営会社（発行会社）にあっても、例えば、これら広告収入をカードの年会費等に充当することで、顧客（会員）の年会費等の負担を軽減できるようになる。
【００５１】
以上、本発明の実施例を図面に基づき説明してきたが、本発明はこれら実施例に限定されるものではなく、本発明の主旨を逸脱しない範囲における変更や追加があっても本発明に含まれることは言うまでもない。
【００５２】
例えば、前記実施例では、配信サーバ１を通信装置２を介してインターネット網に接続して、広告依頼者のコンピュータ端末３から広告の依頼や変更を受け付けるようにしており、このようにすることは、広告依頼者の広告データの登録や更新における煩わしさを低減できることから好ましいが、本発明はこれに限定されるものではなく、これら広告データの登録は、配信サーバ１においてのみ実施するようにしても良い。
【００５３】
また、前記実施例では、広告の仕様として、広告を行う顧客に関する項目を指定できるようになっており、このようにすることは、広告依頼者が広告を行いたい人に対して効率良く広告を実施できるようになることから好ましい。
【００５４】
また、前記実施例では、これら広告の仕様の設定並びに変更も、広告依頼者のコンピュータ端末３より実施できるようになっている。
【００５５】
また、前記実施例では、広告回数等を前記広告状況確認ページにて確認できるようにしているが、本発明はこれに限定されるものではなく、これらの情報を電子メールにより広告依頼者のコンピュータ端末３へ送信するようにしても良い。
【００５６】
また、前記実施例では、カード型記録媒体としてＩＣカードを用いているが、本発明はこれに限定されるものではなく、通常においてクレジットカード等に使用されている磁気カード等であっても良いことは言うまでもない。
【００５７】
また、前記実施例では、クレジットカードを例示しているが、本発明はこれに限定されるものではなく、購入した商品やサービスを精算可能な記録媒体であれば良く、例えばプリペイドカード等も本発明のカード型記録媒体に含むことは言うまでもない。
【００５８】
また、前記実施例では、前記表示部４６としてアルミ蒸着層の表面にサーモクロミックフィルム層を設けた構成としているが、本発明はこれに限定されるものではなく、これら表示部は、繰返し書き換え可能なものであって、表示を目視確認可能に表示可能なものであれば使用することができる。
【図面の簡単な説明】
【００５９】
【図１】本発明の実施例の広告配信システムの構成を示すブロック図である。
【図２】本発明の実施例の広告配信システムに用いた精算端末であるＰＯＳ端末を示す外観斜視図である。
【図３】本発明の実施例の広告配信システムに用いたカード型記録媒体であるＩＣクレジットカードを示す一部破断上面図である。
【図４】本発明の実施例に用いた前記ＰＯＳ端末の構成を示すブロック図である。
【図５】本発明の実施例において用いたサーバコンピュータである配信サーバの構成を示すブロック図である。
【図６】本発明の実施例において用いた前記ＩＣクレジットカードの表示部における広告の書き換え状況を示す図である。
【図７】本発明の実施例において用いた配信サーバにおける全体の処理内容を示す図である。
【図８】本発明の実施例において用いた配信サーバに登録されている顧客データベースを示す図である。
【図９】本発明の実施例において用いた配信サーバに登録されている広告データベースを示す図である。
【図１０】本発明の実施例の配信サーバにおけるメインメニューページを示す図である。
【図１１】本発明の実施例の配信サーバにおけるメニュー選択ページを示す図である。
【図１２】本発明の実施例の配信サーバにおける広告使用確認ページ（１）を示す図である。
【図１３】本発明の実施例の配信サーバにおける広告使用確認ページ（３）を示す図である。
【図１４】本発明の実施例の配信サーバにおける広告作成ページ（１）を示す図である。
【図１５】本発明の実施例の配信サーバにおける広告使用選定ページを示す図である。
【図１６】本発明の実施例の配信サーバにおける広告状況確認ページを示す図である。
【符号の説明】
【００６０】
１      配信サーバ（サーバコンピュータ）
２      通信装置
３      コンピュータ端末
４      ＰＯＳ端末（精算端末）
５      カード処理部
６      液晶表示部
７      明細書排出口
８      挿入口
９      プリンタユニット
１０    表示ドライバ
１１    プリンタドライバ
１２    通信部
１３    制御マイコン（ＭＰＵ）
１４    カードユニット
１５    レジ本体部
１６    専用線
１７    接続ケーブル
１８    制御マイコン（ＭＰＵ）
１９    第２の通信部
２０    入力部
２１    液晶ドライバ
２２    液晶パネル
２３    位置検出ドライバ
２４    表示パネル
２５    プリンタドライバ
２６    プリンタ部
２７    表示ドライバ
２８    金庫
２９    第１の通信部
３０    不揮発性メモリ
３１    レシート
３２    タッチパネル
３４    位置検出パネル
４０    ＩＣクレジットカード
４１    基体
４２    ＩＣチップ
４３    パターンコイル
４４    フレキシブルプリント基板
４５    トップフィルム
４６    表示部
５０    データタバス
５１    中央演算処理装置（ＣＰＵ）
５２    ＲＡＭ
５３    通信インターフェイス
５４    表示装置
５５    記憶装置
５６    入力装置
１００  管理サーバ
【図１】
0003905840.tif 000002
【図２】
0003905840.tif 000003
【図３】
0003905840.tif 000004
【図４】
0003905840.tif 000005
【図５】
0003905840.tif 000006
【図６】
0003905840.tif 000007
【図７】
0003905840.tif 000008
【図８】
0003905840.tif 000009
【図９】
0003905840.tif 000010
【図１０】
0003905840.tif 000011
【図１１】
0003905840.tif 000012
【図１２】
0003905840.tif 000013
【図１３】
0003905840.tif 000014
【図１４】
0003905840.tif 000015
【図１５】
0003905840.tif 000016
【図１６】
0003905840.tif 000017